(57)【要約】【課題】容易に充電または通信することができる電子機器を実現する。【解決手段】実施形態によれば、電子機器は、本体と、ディスプレイと、非接触充電手段とを具備する。前記本体は、キーボードが配置される上面を備える。前記ディスプレイは、前記本体に取り付けられる。前記非接触充電手段は、前記上面上のパームレスト領域に配置され、前記パームレスト領域に近接される外部機器を非接触充電する。【選択図】図５
2014230383.tif 000002
【特許請求の範囲】
【請求項１】
キーボードが配置される上面を備える本体と、
前記本体に取り付けられるディスプレイと、
前記上面上のパームレスト領域に配置され、前記パームレスト領域に近接される外部機器を非接触充電する非接触充電手段とを具備する電子機器。
【請求項２】
前記外部機器は、ユーザの腕に装着可能なウェアラブル機器である請求項１記載の電子機器。
【請求項３】
前記上面上のパームレスト領域に配置されるタッチパッドをさらに具備し、
前記非接触充電手段は、前記タッチパッドの両側に配置される第１および第２の非接触充電部分を備える請求項１記載の電子機器。
【請求項４】
前記パームレスト領域は、前記キーボードと前記本体の前端部との間に位置しており、
前記非接触充電手段は、前記キーボードと前記本体の前端部との間の中間部よりも前記本体の前端部に近寄った位置に配置されている請求項１記載の電子機器。
【請求項５】
前記上面上のパームレスト領域に近接される前記外部機器との近接無線通信を実行する近接無線通信部をさらに具備する請求項１記載の電子機器。
【請求項６】
前記上面上のパームレスト領域に配置されるタッチパッドと、
前記タッチパッドの両側に配置される第１および第２の近接無線通信部とをさらに具備し、
前記非接触充電手段は、前記タッチパッドの両側に配置される第１および第２の非接触充電部分を備える請求項１記載の電子機器。
【請求項７】
前記上面上のパームレスト領域に前記外部機器が近接されたことに応答して、前記近接無線通信を使用して、前記外部機器と前記電子機器との間でデータを同期させる通信手段をさらに具備する請求項５記載の電子機器。
【請求項８】
前記電子機器がロックされている状態で前記外部機器と前記近接無線通信部との間の無線接続が確立された場合、前記外部機器が所定の機器であることを条件に前記電子機器をアンロックする認証制御手段をさらに具備する請求項５記載の電子機器。
【請求項９】
前記認証制御手段は、前記所定の機器である前記外部機器が前記上面上のパームレスト領域に近接していない状態が所定期間継続した場合、前記電子機器を前記ロック状態に設定する請求項８記載の電子機器。
【請求項１０】
前記外部機器が前記上面上のパームレスト領域に近接している状態である間、前記上面のパームレスト領域に配置されるタッチパッドを無効化する制御手段をさらに具備する請求項１記載の電子機器。
【請求項１１】
キーボードが配置される上面を備える本体と、
前記本体に取り付けられるディスプレイと、
前記上面上のパームレスト領域に配置されるタッチパッドと、
前記タッチパッドの両側に配置される第１および第２の近接無線通信部とを具備する電子機器。
【請求項１２】
腕に装着可能な電子機器であって、
バッテリと、
前記電子機器に近接する外部の非接触充電モジュールから無線給電される電力を使用して、前記バッテリを充電する非接触充電手段とを具備するウェアラブル機器。
【発明の詳細な説明】
【技術分野】
【０００１】
本発明の実施形態は、充電機能または通信機能を有する電子機器に関する。
【背景技術】
【０００２】
近年、ノートブック型パーソナルコンピュータ（ＰＣ）といった種々の電子機器が開発されている。この種の電子機器の多くは、外部機器と通信する機能を有している。
【０００３】
また、人体に装着可能なウェアラブル機器も開発されている。ユーザは、ウェアラブル機器を装着したまま、ウェアラブル機器から様々な情報を得ることができる。
【先行技術文献】
【特許文献】
【０００４】
【特許文献１】特開２００５−２５２６１２号公報
【発明の概要】
【発明が解決しようとする課題】
【０００５】
しかしながら、ウェアラブル機器を充電する際、ユーザはウェアラブル機器を充電するために必要な様々な操作を意識的に行う必要がある。例えば、ユーザは、装着しているウェアラブル機器を取り外し、取り外したウェアラブル機器に電力を供給するためのケーブルとウェアラブル機器とを接続するための操作等を行わなければならない。
【０００６】
また、パーソナルコンピュータとウェアラブル機器との間で通信を行うために、ユーザは、装着しているウェアラブル機器を取り外してこのウェアラブル機器をコンピュータに接続する等の操作を意識的に行わなければならない。
【０００７】
そのため、ウェアラブル機器のような外部機器を充電するためにまたは外部機器を使用して通信を行うため必要なユーザの操作の手間を少なくすることが求められている。
【０００８】
本発明の目的は、容易に充電または通信することができる電子機器を提供することである。
【課題を解決するための手段】
【０００９】
実施形態によれば、電子機器は、本体と、ディスプレイと、非接触充電手段とを具備する。前記本体は、キーボードが配置される上面を備える。前記ディスプレイは、前記本体に取り付けられる。前記非接触充電手段は、前記上面上のパームレスト領域に配置され、前記パームレスト領域に近接される外部機器を非接触充電する。
【図面の簡単な説明】
【００１０】
【図１】実施形態に係る電子機器の外観を示す斜視図。
【図２】同実施形態に係る電子機器との連携が可能なウェアラブル機器の外観を示す図。
【図３】図２のウェアラブル機器がユーザの腕に装着された状態を示す図。
【図４】同実施形態に係る電子機器の利用例を説明するための図。
【図５】同実施形態に係る電子機器の利用例を説明するための図。
【図６】同実施形態に係る電子機器のシステム構成例を示す図。
【図７】同実施形態に係る電子機器に設けられる、非接触充電パッドと近接無線通信部の関係を示す図。
【図８】同実施形態に係る電子機器によって実行される制御プログラムの構成を示すブロック図。
【図９】同実施形態に係る電子機器によって実行される制御プログラムの手順の一例を説明するためのフローチャート。
【図１０】同実施形態に係る電子機器によって実行される制御プログラムの手順の他の一例を説明するためのフローチャート。
【図１１】同実施形態に係る電子機器によって実行される制御プログラムの手順のさらに他の一例を説明するためのフローチャート。
【図１２】図２のウェアラブル機器のシステムの構成例を示す図。
【図１３】同実施形態に係る電子機器の他の利用例を示す図。
【発明を実施するための形態】
【００１１】
以下、実施の形態について図面を参照して説明する。  
まず、図１を参照して、本実施形態に係る電子機器の構成について説明する。この電子機器は、ノートブックタイプのパーソナルコンピュータ、またはコンバーチブルパーソナルコンピュータとして実現され得る。コンバーチブルパーソナルコンピュータは、ラップトップモードに対応する形態またはタブレットモードに対応する形態で使用可能なコンピュータである。以下では、この電子機器が、ノートブックタイプのパーソナルコンピュータ１０として実現されている場合を想定する。
【００１２】
図１は、ディスプレイユニットが開いた状態のコンピュータ１０を正面側から見た斜視図である。本コンピュータ１０は、バッテリ２０から電力を受けるように構成されている。本コンピュータ１０は、コンピュータ本体１１と、ディスプレイユニット１２とを備える。ディスプレイユニット１２には、液晶表示装置（ＬＣＤ）３１のような表示装置が組み込まれている。さらに、ディスプレイユニット１２の上端部には、カメラ（Ｗｅｂカメラ）３２が配置されている。
【００１３】
ディスプレイユニット１２は、コンピュータ本体１１の上面が露出される開放位置とコンピュータ本体１１の上面がディスプレイユニット１２で覆われる閉塞位置との間を回動自在にコンピュータ本体１１に取り付けられている。コンピュータ本体１１は薄い箱形の筐体を有しており、その上面にはキーボード１３、タッチパッド１４、指紋センサ１５、本コンピュータ１０をパワーオン／オフするための電源スイッチ１６、幾つかの機能ボタン１７、およびスピーカ１８Ａ、１８Ｂが配置されている。
【００１４】
また、コンピュータ本体１１には、電源コネクタ２１が設けられている。電源コネクタ２１はコンピュータ本体１１の側面、例えば左側面に設けられている。この電源コネクタ２１には、外部電源装置が取り外し自在に接続される。外部電源装置としては、ＡＣアダプタを用いることができる。ＡＣアダプタは商用電源（ＡＣ電力）をＤＣ電力に変換する電源装置である。
【００１５】
バッテリ２０は、例えば、コンピュータ本体１１の後端部に取り外し自在に装着される。バッテリ２０は本コンピュータ１０に内蔵されるバッテリであってもよい。  
本コンピュータ１０は、外部電源装置からの電力またはバッテリ２０からの電力によって駆動される。本コンピュータ１０の電源コネクタ２１に外部電源装置が接続されているならば、本コンピュータ１０は外部電源装置からの電力によって駆動される。また、外部電源装置からの電力は、バッテリ２０を充電するためにも用いられる。本コンピュータ１０の電源コネクタ２１に外部電源装置が接続されていない期間中は、本コンピュータ１０はバッテリ２０からの電力によって駆動される。
【００１６】
さらに、コンピュータ本体１１には、幾つかのＵＳＢポート２２、ＨＤＭＩ（登録商標）（High-definition multimedia interface）出力端子２３、およびＲＧＢポート２４が設けられている。
【００１７】
また、コンピュータ本体１１の上面はパームレスト領域を備える。パームレスト領域４０には、タッチパッド１４、非接触充電パッド４１Ａ、４１Ｂ、及び近接無線通信のための通信部４２Ａ、４２Ｂが配置されている。図１に示すように、パームレスト領域４０は、キーボード１３とコンピュータ本体１１の前端部との間に位置している。
【００１８】
非接触充電パッド４１Ａ及び４１Ｂは、図１に示すように、タッチパッド１４の両側に配置されている。同様に、近接無線通信のための通信部４２Ａおよび４２Ｂも、タッチパッド１４の両側に配置されている。
【００１９】
非接触充電パッド４１Ａ、４１Ｂは、パームレスト領域４０に近接される外部機器を非接触充電（無線給電）する。外部機器は、例えば、図２を参照して後述するような、ユーザの腕に装着可能なウェアラブル機器である。以下、外部機器がウェアラブル機器である場合を想定して説明する。また、非接触充電とは、非接触方式の充電である。非接触充電は、例えば、電磁誘導の原理を利用した電磁誘導方式、共鳴現象を利用した磁界共鳴方式、またはアンテナで受信した電波を電力として利用する電波受信方式、等による充電である。
【００２０】
近接無線通信のための通信部４２Ａ、４２Ｂは、パームレスト領域４０に近接されるウェアラブル機器との近接無線通信を実行するために使用される。近接無線通信は、例えば、ＮＦＣ（Near Field Communication）である。近接無線通信のための通信部４２Ａ、４２Ｂの各々は、ＮＦＣに対応する近接無線通信を実行するように構成された近接無線通信モジュールであってもよいし、あるいはこの近接無線通信モジュールに電気的に接続されるアンテナであってもよい。
【００２１】
非接触充電パッド４１Ａ、４１Ｂ及び通信部４２Ａ、４２Ｂの各々は、キーボード１３とコンピュータ本体１１の前端部との間の中間部よりもコンピュータ本体１１の前端部に近寄った位置に配置されていてもよい。これにより、ユーザがキーボード１３を操作する際に、ユーザの腕に装着されたウェアラブル機器が非接触充電パッド４１Ａ、４１Ｂ及び通信部４２Ａ、４２Ｂに近接しやすくすることができる。また、非接触充電パッド４１Ａ、４１Ｂ及び通信部４２Ａ、４２Ｂのどちらも、タッチパッド１４の両側に配置されているので、ウェアラブル機器が右腕または左腕のどちらに装着されている場合でも、ウェアラブル機器と非接触充電パッドおよび通信部の各々との近接状態に設定することが可能となる。
【００２２】
なお、非接触充電パッド４１Ａ、４１Ｂの各々は、その非接触充電パッド４１Ａ、４１Ｂの上面が露出されるようにパームレスト領域４０上に配置されていてもよいし、その非接触充電パッド４１Ａ、４１Ｂの上面がパームレスト領域４０に対向するようにコンピュータ本体１１内に設けられていてもよい。同様に、通信部４２Ａ、４２Ｂの各々も、通信部４２Ａ、４２Ｂの上部が露出されるようにパームレスト領域４０上に配置されていてもよいし、通信部４２Ａ、４２Ｂの上部がパームレスト領域４０に対向するようにコンピュータ本体１１内に設けられていてもよい。
【００２３】
また、コンピュータ１０のパームレスト領域４０には、必ずしも、非接触充電パッド４１Ａ，４１Ｂと通信部４２Ａ，４２Ｂの双方が配置されていなくてもよく、非接触充電パッド４１Ａ，４１Ｂと通信部４２Ａ，４２Ｂのいずれか一方のみがパームレスト領域４０に配置される構造が使用されても良い。
【００２４】
また、図１では、タッチパッド１４の左右両側に非接触充電パッド４１Ａ及び４１Ｂが配置されている構造を説明したが、タッチパッド１４の左側または右側のいずれか一方にのみ非接触充電パッドが配置されていてもよい。同様に、タッチパッド１４の左側または右側の一方にのみ通信部が配置されていてもよい。換言すれば、タッチパッド１４の左側に配置された非接触充電パッド４１Ａおよび通信部４２Ａを備える構成、またはタッチパッド１４の右側に配置された非接触充電パッド４１Ｂおよび通信部４２Ｂを備える構成を採用してもよい。この場合でも、左腕または右腕にウェアラブル機器を装着したユーザがキーボード１３を操作しながら、ウェアラブル機器を非接触充電することができ、さらにウェアラブル機器とコンピュータ１０との間の近接無線通信を実行することが出来る。
【００２５】
次に、図２を参照して、ウェアラブル機器１の概要を説明する。  
ウェアラブル機器１は、人体に装着可能な機器である。ウェアラブル機器１は、例えば、ユーザの腕に着用可能な腕時計型（ブレスレット型）の機器、ディスプレイ等の表示部を有さない、ユーザの腕に装着可能なシンプルな機器、眼鏡として使用できる眼鏡型の機器、等である。以下では、ウェアラブル機器１が、腕時計型（ブレスレット型）の機器によって実現されている場合を想定する。
【００２６】
ウェアラブル機器１は、ディスプレイ３、近接無線通信モジュール４、及び非接触充電部５を備えている。近接無線通信モジュール４及び非接触充電部５は、ウェアラブル機器１がユーザの腕に装着されている状態で、ユーザの腕に対してディスプレイ３の反対に位置するようにウェアラブル機器１のベルト部に設けられていてもよい。なお、ウェアラブル機器１の詳細なシステム構成については図１２を参照して後述する。
【００２７】
ウェアラブル機器１は、ウェアラブル機器１を装着しているユーザに対して様々な情報を提供する所定の機能を有する。さらに、ウェアラブル機器１は、ウェアラブル機器１内のバッテリ（二次電池）を非接触充電するための非接触充電機能、近接無線通信を行う近接無線通信機能を有している。
【００２８】
ウェアラブル機器１は、非接触充電パッド４１Ａまたは４１Ｂから無線給電される電力を使用して、ウェアラブル機器１内のバッテリを充電することができる。ウェアラブル機器１の非接触充電部５が非接触充電パッド４１Ａまたは４１Ｂと近接されると、非接触充電パッド４１Ａまたは４１Ｂと非接触充電部５とが電磁気的に結合され、ウェアラブル機器１内のバッテリが非接触充電される。ウェアラブル機器１と非接触充電パッド４１Ａまたは４１Ｂとの間の近接状態が解除されると、パッド４１Ａまたは４１Ｂと非接触充電部５との間の結合も解除され、ウェアラブル機器１内のバッテリの非接触充電が停止される。
【００２９】
また、ウェアラブル機器１は、本コンピュータ１０との近接無線通信を行うことができる。ウェアラブル機器１は、近接無線通信を使用して、ウェアラブル機器１に格納されているデータと本コンピュータ１０に格納されているデータとを同期することができる（同期機能）。例えば、本コンピュータ１０に格納されているユーザのスケジュールデータとウェアラブル機器１に格納されているユーザのスケジュールデータとを同期することができる。
【００３０】
また、ウェアラブル機器１は、ウェアラブル機器１のオーナーであるユーザに関係する様々な情報をオーナーに提供する機能を有する。ユーザに関係する様々な情報は、例えば、スケジュール情報、天気情報、ウェアラブル機器１の位置情報、または交通情報等である。スケジュール情報は、例えば、近接無線通信機能によって同期されたスケジュールデータである。
【００３１】
図３は、ウェアラブル機器１がユーザの腕に装着されている状態を示している。  
ウェアラブル機器１は、ユーザの右腕（右手首）または左腕（左手首）に装着される。図３の左側は、左腕にウェアラブル機器１が装着された状態を示し、図３の右側は右腕にウェアラブル機器１が装着された状態を示している。ウェアラブル機器１は、図３に示すように、左手２Ａの甲または右手２Ｂの甲とディスプレイ３とが同じ側になるように、左腕または右腕に装着される。このようにウェアラブル機器１を腕に装着した場合、近接無線通信モジュール４及び非接触充電部５は、左手２Ａの手のひら側または右手２Ｂの手のひら側に位置される。
【００３２】
次に、図４及び図５を参照し、本実施形態の概要について説明する。  
図４は、本コンピュータ１０を正面から見た図である。図５は、ユーザが本コンピュータ１０を使用している状態を示す図である。  
上述したように、本コンピュータ１０のタッチパッド１４の両脇に非接触充電パッド４１Ａ及び４１Ｂが設けられ、さらにタッチパッド１４の両脇に近接無線通信モジュール４２Ａおよび４２Ｂが設けられている。ユーザが本コンピュータ１０を使用する際、図５に示すように、ウェアラブル機器１が左腕または右腕のいずれに装着されている場合であっても、ウェアラブル機器１は近接無線通信モジュールおよび非接触充電パッドの各々に近接する。そのため、例えばユーザがキーボード１３を操作する際、ウェアラブル機器１が自動的に充電される。また、例えばユーザがキーボード１３を操作する際、ウェアラブル機器１と本コンピュータ１０との間で近接無線通信が自動的に行われる。そのため、ウェアラブル機器１を充電すること、またはウェアラブル機器１と本コンピュータ１０との間で近接無線通信を行うことを、ユーザが意識することなく行うことができる。
【００３３】
図６は、本コンピュータ１０のシステム構成を示している。図６のシステム構成においては、上述の通信部４２Ａ，４２Ｂが近接無線通信モジュールのアンテナである場合が想定されている。
【００３４】
本コンピュータ１０は、非接触充電パッド４１Ａ，４１Ｂ、近接無線通信モジュール４２、ＣＰＵ１１１、システムコントローラ１１２、主メモリ１１３、グラフィクスプロセッシングユニット（ＧＰＵ）１１４、サウンドコーデック１１５、ＢＩＯＳ−ＲＯＭ１１６、ソリッドステートドライブ（ＳＳＤ）１１７、ＢＴ（Ｂｌｕｅｔｏｏｔｈ（登録商標））モジュール１２０、無線ＬＡＮモジュール１２１、ＳＤカードコントローラ１２２、ＰＣＩ  ＥＸＰＲＥＳＳカードコントローラ１２３、エンベデッドコントローラ／キーボードコントローラＩＣ（ＥＣ／ＫＢＣ）１３０、電源コントローラ（ＰＳＣ）１４１、電源回路１４２等を備えている。
【００３５】
ＣＰＵ１１１は、本コンピュータ１０の各コンポーネントの動作を制御するプロセッサである。このＣＰＵ１１１は、ＳＳＤ１１７から主メモリ１１３にロードされる各種ソフトウェアを実行する。このソフトウェアは、オペレーティングシステム（ＯＳ）２０１および各種アプリケーションプログラムを含む。さらに、このアプリケーションプログラムは、制御プログラム２０２を含む。制御プログラム２０２は、ウェアラブル機器１と連携して、各種機能を提供するためのプログラムである。例えば、制御プログラム２０２は、近接無線通信を使用して本コンピュータ１０とウェアラブル機器１との間のデータ同期を行う機能、本コンピュータ１０のロック／アンロックを制御する機能、タッチパッド１４の有効／無効を制御する機能等を実行することが出来る。
【００３６】
また、ＣＰＵ１１１は、不揮発性メモリであるＢＩＯＳ−ＲＯＭ１１６に格納された基本入出力システム（ＢＩＯＳ）も実行する。ＢＩＯＳはハードウェア制御のためのシステムプログラムである。
【００３７】
ＧＰＵ１１４は、本コンピュータ１０のディスプレイモニタとして使用されるＬＣＤ３１を制御する表示コントローラである。ＧＰＵ１１４は、ビデオメモリ（ＶＲＡＭ）１１４Ａに格納された表示データからＬＣＤ３１に供給すべき表示信号（ＬＶＤＳ信号）を生成する。さらに、ＧＰＵ１１４は、表示データからアナログＲＧＢ信号およびＨＤＭＩビデオ信号を生成することもできる。アナログＲＧＢ信号はＲＧＢポート２４を介して外部ディスプレイに供給される。ＨＤＭＩ出力端子２３は、ＨＤＭＩビデオ信号（非圧縮のデジタル映像信号）と、デジタルオーディオ信号とを一本のケーブルで外部ディスプレイに送出することができる。ＨＤＭＩ制御回路１１９は、ＨＤＭＩビデオ信号およびデジタルオーディオ信号をＨＤＭＩ出力端子２３を介して外部ディスプレイに送出するためのインタフェースである。
【００３８】
システムコントローラ１１２は、ＣＰＵ１１１と各コンポーネントとの間を接続するブリッジデバイスである。システムコントローラ１１２は、ＳＳＤ１１７を制御するためのシリアルＡＴＡコントローラを内蔵している。さらに、システムコントローラ１１２は、ＬＰＣ（Ｌｏｗ ＰＩＮ Ｃｏｕｎｔ）バス上の各デバイスとの通信を実行する。
【００３９】
ＥＣ／ＫＢＣ１３０は、ＬＰＣバスに接続されている。ＥＣ／ＫＢＣ１３０、電源コントローラ（ＰＳＣ）１４１、およびバッテリ２０は、Ｉ２Ｃバスのようなシリアルバスを介して相互接続されている。
【００４０】
ＥＣ／ＫＢＣ１３０は、本コンピュータ１０の電力管理を実行するための電力管理コントローラであり、例えば、キーボード（ＫＢ）１３およびタッチパッド１４などを制御するキーボードコントローラを内蔵したワンチップマイクロコンピュータとして実現されている。ＥＣ／ＫＢＣ１３０は、ユーザによる電源スイッチ１６の操作に応じて本コンピュータ１０をパワーオンおよびパワーオフする機能を有している。本コンピュータ１０のパワーオンおよびパワーオフの制御は、ＥＣ／ＫＢＣ１３０と電源コントローラ（ＰＳＣ）１４１との協働動作によって実行される。ＥＣ／ＫＢＣ１３０から送信されるＯＮ信号を受けると、電源コントローラ（ＰＳＣ）１４１は電源回路１４２を制御して本コンピュータ１０をパワーオンする。また、ＥＣ／ＫＢＣ１３０から送信されるＯＦＦ信号を受けると、電源コントローラ（ＰＳＣ）１４１は電源回路１４２を制御して本コンピュータ１０をパワーオフする。ＥＣ／ＫＢＣ１３０、電源コントローラ（ＰＳＣ）１４１、および電源回路１４２は、本コンピュータ１０がパワーオフされている期間中も、バッテリ２０またはＡＣアダプタ１５０からの電力によって動作する。
【００４１】
電源回路１４２は、バッテリ２０からの電力、またはコンピュータ本体１１に外部電源として接続されるＡＣアダプタ１５０からの電力を用いて、各コンポーネントへ供給すべき電力（動作電源）を生成する。
【００４２】
非接触充電パッド４１Ａ、４１Ｂは、電源回路１４２から供給される電力を使用して、ウェアラブル機器１を非接触充電（無線給電）することができる。また、非接触充電パッド４１Ａ、４１Ｂは、システムコントローラ１１２と接続されていてもよい。この場合、ＯＳ２０１等からの指示に応じて、非接触充電機能を有効または無効にすることもできる。
【００４３】
近接無線通信モジュール４２は、パームレスト領域に近接されるウェアラブル機器１との近接無線通信を実行する。この近接無線通信モジュール４２はＮＦＣデバイスであり、ＮＦＣアンテナとして機能する上述の通信部４２Ａ，４２Ｂに接続されている。
【００４４】
図７は、非接触充電パッド４１Ａ、４１Ｂ、及び近接無線通信部４２Ａ、４２Ｂの配置例を示す。ここでは、近接無線通信部４２Ａ、４２Ｂがアンテナであり、且つ非接触充電パッド４１Ａ、４１Ｂ、及び近接無線通信部４２Ａ、４２Ｂがパームレスト４０に対向した状態でコンピュータ本体１１内に設けられている場合を想定する。
【００４５】
非接触充電パッド４１Ａは第１の非接触充電部分であり、電源回路１４２と接続されている。また、非接触充電パッド４１Ａは、例えば、非接触充電のために使用されるコイル等を備える。非接触充電パッド４１Ｂは第２の非接触充電部分であり、電源回路１４２と接続されている。また、非接触充電パッド４１Ｂも、例えば、非接触充電のために使用されるコイル等を備える。電源回路１４２は、非接触充電に必要な電力を非接触充電パッド４１Ａ、４１Ｂに供給する。
【００４６】
近接無線通信部（アンテナ）４２Ａ、４２Ｂは、近接無線通信モジュール４２と電気的に接続されている。近接無線通信モジュール４２は、近接無線通信部（アンテナ）４２Ａと近接された外部機器との近接無線通信、または近接無線通信部（アンテナ）４２Ｂと近接された外部機器との近接無線通信を実行する。
【００４７】
次に、図８を参照して、制御プログラム２０２を含むシステムの構成について説明する。  
制御プログラム２０２は、制御部７７を備える。制御部７７は、近接検出部７１、ロック／アンロック制御部７２、及び通信制御部７３を備える。  
制御プログラム２０２は、ＯＳ２０１等と連携して処理を行う。ＯＳ２０１は、近接無線通信モジュール４２を制御するためのドライバプログラム等を含む。  
近接検出部７１は、上述のドライバプログラムと連携することにより、ウェアラブル機器１がパームレスト領域に近接していること（近接状態）、または、近接していないこと（非近接状態）を検出する。
【００４８】
ロック／アンロック制御部７２は、本コンピュータ１０がロックされている状態でウェアラブル機器１と近接無線通信モジュール４２との間の無線接続が確立された場合、ウェアラブル機器１が所定の機器であることを条件に、本コンピュータ１０をアンロックする。所定の機器とは、例えば、予め本コンピュータ１０と関連付けられて登録されている機器である。より詳細には、ロック／アンロック制御部７２は、記憶部７６に格納されている認証情報に基づき、ウェアラブル機器１が所定の機器であるか否かを判定する。具体的には、ロック／アンロック制御部７２は、ウェアラブル機器１から認証ＩＤ等を取得し、取得した認証ＩＤが、記憶部７６に格納されている認証情報に含まれているか否かによって、ウェアラブル機器１が所定の機器であるか否かを判定する。
【００４９】
また、ロック／アンロック制御部７２は、所定の機器であるウェアラブル機器１がパームレスト領域４０に近接していない状態が所定期間継続した場合、本コンピュータ１０をロック状態に設定する。ウェアラブル機器１とパームレスト領域４０との近接状態が解除されると、ウェアラブル機器１と近接無線通信モジュール４２との間の無線接続が切断される。ウェアラブル機器１とパームレスト領域４０との近接状態が解除されてから所定期間経過した後に、つまりウェアラブル機器１と近接無線通信モジュール４２との間の無線接続が切断されてから所定期間経過した後に、ロック／アンロック制御部７２は、本コンピュータ１０をロック状態に設定する。所定期間は、例えば１分程度である。より詳細には、ロック／アンロック制御部７２は、例えば、近接検出部７１によってウェアラブル機器１がパームレスト領域に近接していないことが検出されてから、所定期間の計測を開始し、所定期間経過した場合、ＯＳ２０１に本コンピュータ１０をロックするように指示する。ＯＳ２０１は、例えば、ユーザにパスワードの入力を促す入力画面をＬＣＤ３１等に表示する。
【００５０】
また、ロック／アンロック制御部７２は、本コンピュータ１０がロックされている状態で、ウェアラブル機器１と近接無線通信モジュール４２との間の無線接続が確立された場合、ウェアラブル機器１が所定の機器であることを条件に本コンピュータ１０をアンロックする認証制御する。
【００５１】
また、ロック／アンロック制御部７２は、所定の機器であるウェアラブル機器１がパームレスト領域に近接していない状態が所定期間継続した場合、本コンピュータ１０をロック状態に設定する。
【００５２】
通信制御部７３は、同期部７４を備える。通信制御部７３は、ウェアラブル機器１が近接されている場合、近接無線通信モジュール４２を介して、ウェアラブル機器１と近接無線通信を行うための制御をする。同期部７４は、本コンピュータ１０に設けられた記憶部７６に格納されているスケジュール情報のデータと、ウェアラブル機器１に格納されているスケジュール情報のデータとを、近接無線通信を使用して、同期させる。
【００５３】
なお、記憶部７６は、例えばＳＳＤ１１７を想定しているが、ＳＤカードスロットに挿入されるＳＤカード等の本コンピュータ１０に内蔵されていないような記録媒体であってもよい。
【００５４】
また、制御部７７は、ウェアラブル機器１がパームレスト領域４０に近接している状態である期間、タッチパッド１４を無効化する。このようにすることによって、例えば、ユーザがキーボード１３を操作している場合、ユーザの指がタッチパッド１４に誤って接触等することにより生じる過反応を防止することができる。
【００５５】
一方、非接触充電パッド４１Ａ、４１Ｂは、電源回路１４２から供給される電力を用いて、ウェアラブル機器１に備えられているバッテリ７０を非接触充電する。なお、ウェアラブル機器１が物理的に非接触充電パッド４１Ａまたは４１Ｂに近接されると、非接触充電パッド４１Ａまたは４１Ｂとウェアラブル機器１とが電磁気的に結合されて非接触充電が開始される。
【００５６】
なお、制御プログラム２０２は、ＯＳ２０１のサービスとして実装されていてもよい。  
次に、図９を参照し、本実施形態の近接無線通信処理の手順について説明する。  
始めに、制御プログラム２０２は、ウェアラブル機器１のような外部機器とパームレスト領域４０の通信部４２Ａまたは４２Ｂとが近接状態であるか否かを判定する（ステップＳ９１）。ウェアラブル機器１を装着したユーザがパームレスト領域４０に手を置くと、ウェアラブル機器１と通信部４２Ａまたは４２Ｂとが近接状態となる。制御プログラム２０２は、近接状態であると判定した場合（ステップＳ９１のＹＥＳ）、近接無線通信を開始する（ステップＳ９２）。この場合、ウェアラブル機器１と非接触充電パッド４１Ａまたは４１Ｂもまた近接状態となるので、非接触充電パッド４１Ａまたは４１Ｂからウェアラブル機器１に対して電力が無線給電される。ウェアラブル機器１は、非接触充電パッド４１Ａまたは４１Ｂから無線給電される電力を使用して、ウェアラブル機器１内のバッテリを充電し始める。
【００５７】
制御プログラム２０２は、本コンピュータ１０がロック状態であるか否かを判定する（ステップＳ９３）。制御プログラム２０２は、本コンピュータ１０がロック状態であると判定した場合（ステップＳ９３のＹＥＳ）、上述したような認証処理を行う（ステップＳ９４）。制御プログラム２０２は、認証に成功したか否かを判定する（ステップＳ９５）。制御プログラム２０２は、認証に成功した場合、つまりコンピュータ１０に近接されたウェアラブル機器１が予め登録された機器であるならば（ステップＳ９５のＹＥＳ）、本コンピュータ１０をアンロックして、本コンピュータ１０をユーザが本コンピュータ１０を操作可能な状態に設定する（ステップＳ９５）。そして、制御プログラム２０２は、近接無線通信を使用して本コンピュータ１０とウェアラブル機器１との間でデータ通信、たとえばデータ同期など、を行う（ステップＳ９７）。制御プログラム２０２は、認証に失敗した場合（ステップＳ９５のＮＯ）、本コンピュータ１０のロック状態を維持する（ステップＳ１００）。なお、制御プログラム２０２は、本コンピュータ１０がロック状態でない、すなわちアンロック状態である、とステップＳ９３の処理において判定した場合（ステップＳ９３のＮＯ）、近接無線通信を使用して本コンピュータ１０とウェアラブル機器１との間でデータ通信（ステップＳ９７）。
【００５８】
なお、制御プログラム２０２は、ステップＳ９３乃至ステップＳ９６の処理を行うことなく、ステップＳ９２において近接無線通信を開始した後、ステップＳ９７において近接無線通信を使用したデータ通信を行ってもよい。
【００５９】
ウェアラブル機器１とパームレスト領域４０の通信部４２Ａまたは４２Ｂとの間の近接状態が解除されたならば、ウェアラブル機器１と本コンピュータとの間の無線接続が解除され、これによって近接無線通信を使用したデータ通信が停止される。この場合、ウェアラブル機器１とパームレスト領域４０の非接触充電パッド４１Ａまたは４１Ｂとの間の電磁気的結合も解除されるので、非接触充電は停止される。
【００６０】
制御プログラム２０２は、ウェアラブル機器１とパームレスト領域４０の通信部４２Ａまたは４２Ｂとの間の近接状態が解除されている状態が所定期間継続したか否かを判定する（ステップＳ９８）。所定期間は、上述したように、例えば１分間である。制御プログラム２０２は、非近接状態が所定期間継続された場合（ステップＳ９８のＹＥＳ）、本コンピュータ１０をロック状態に設定する（ステップＳ９９）。なお、非近接状態が所定期間継続される前にユーザの手がパームリスト領域に置かれると、ウェアラブル機器１と通信部４２Ａまたは４２Ｂとが再び近接状態となり、近接無線通信が開始される。
【００６１】
次に、図１０を参照し、本実施形態の近接無線通信処理の手順の他の例について説明する。なお、図９を参照して上述した近接無線通信処理と同様の処理手順については説明を省略する。
【００６２】
図１０に示す処理手順において、制御プログラム２０２は、ステップＳ９１の処理を行う前にステップＳ１０２の処理を行い、また、ステップＳ９８の処理を行う代わりにステップＳ１１０の処理を行う。
【００６３】
始めに、制御プログラム２０２は、ユーザ等によるキーボード１３に対する操作が行われたか否かを判定する（ステップＳ１０２）。制御プログラム２０２は、キーボード１３に対する操作が行われたと判定した場合（ステップＳ１０２のＹＥＳ）、ステップＳ９１に進む。制御プログラム２０２は、キーボード１３に対する操作が行われていないと判定した場合（ステップＳ１０２のＮＯ）、キーボード１３に対する操作が行われるまで待機する。
【００６４】
また、制御プログラム２０２は、ステップＳ９７において近接無線通信を使用した上述したようなデータ通信を行った後、またはステップＳ９７において近接無線通信を使用した上述したようなデータ通信を行っている際、ウェアラブル機器１の充電状態が停止されている状態が所定期間継続したか否かを判定する（ステップＳ１１０）。非接触充電は、上述したように、ウェアラブル機器１が非接触充電パッド４１Ａまたは４１Ｂと物理的に近接した場合に開始され、ウェアラブル機器１が非接触充電パッド４１Ａまたは４１Ｂと物理的に近接しなくなった場合に停止する。そのため、制御プログラム２０２は、例えば、ステップＳ１１０において、ＢＩＯＳ、ＯＳ２０１、またはＥＣ／ＫＢＣ１３０等から得られる情報に基づき、非接触充電が停止されたか否かを判定してもよい。
【００６５】
制御プログラム２０２は、ウェアラブル機器１の充電状態が停止されている状態が所定期間継続したと判定した場合（ステップＳ１１０のＹＥＳ）、本コンピュータ１０をロック状態に設定する（ステップＳ９９）。この場合、ウェアラブル機器１と通信部４２Ａまたは４２Ｂもまた非近接状態となるので、ウェアラブル機器１と通信部４２Ａまたは４２Ｂとの間の近接無線通信のデータ通信も停止される。
【００６６】
なお、図１０に示す処理手順において、制御プログラム２０２は、必ずしも、ステップＳ１０２の処理を行わなくてもよい。また、制御プログラム２０２は、ステップＳ１０２の処理を行い、且つ、ステップＳ１１０の処理の代わりにステップＳ９８の処理を行ってもよい。
【００６７】
図１０に示すような処理を行うことによって、ウェアラブル機器１を充電している期間だけ本コンピュータ１０を使用できる。また、ユーザが腕を本コンピュータ１０から一時的に遠ざけた場合のように、一時的に非近接状態になった場合でも、本コンピュータ１がロック状態に設定されることを防止することができる。また、ウェアラブル機器１を充電していなければ、本コンピュータ１０を使用することができないことを知らないユーザは、本コンピュータ１０を使用できないため、セキュリティを向上させることができる。
【００６８】
次に、図１１を参照し、本実施形態のタッチパッド１４に関する制御処理の手順について説明する。  
始めに、制御プログラム２０２は、ウェアラブル機器１と非接触充電パッド４１Ａ、４１Ｂが近接状態であるか否かを判定する（ステップＳ１２０）。制御プログラム２０２は、ウェアラブル機器１と非接触充電パッド４１Ａ、４１Ｂが近接状態であると判定した場合（ステップＳ１２０のＹＥＳ）、タッチパッド１４の状態をＯＦＦ状態にする（ステップＳ１２１）。タッチパッド１４がＯＦＦ状態であるとは、例えば、タッチパッド１４に対するユーザの操作が無効な状態である。制御プログラム２０２は、ウェアラブル機器１と非接触充電パッド４１Ａ、４１Ｂが近接状態でない場合（ステップＳ１２０のＮＯ）、近接状態を検出するまで待機する。
【００６９】
次に、制御プログラム２０２は、ウェアラブル機器１と非接触充電パッド４１Ａ、４１Ｂが非近接状態であるか否かを判定する（ステップＳ１２２）。制御プログラム２０２は、ウェアラブル機器１と非接触充電パッド４１Ａ、４１Ｂが非近接状態であると判定した場合（ステップＳ１２２のＹＥＳ）、タッチパッド１４の状態をＯＮ状態にする（ステップＳ１２３）。タッチパッド１４がＯＮ状態であるとは、例えば、タッチパッド１４に対するユーザの操作が有効な状態である。制御プログラム２０２は、ウェアラブル機器１と非接触充電パッド４１Ａ、４１Ｂが非近接状態ではない、すなわち、ウェアラブル機器１と非接触充電パッド４１Ａ、４１Ｂが近接状態であると判定した場合（ステップＳ１２２のＮＯ）、非近接状態が検出されるまで待機する。
【００７０】
なお、ステップＳ１２０において、制御プログラム２０２は、ウェアラブル機器１と通信部４２Ａまたは４２Ｂが近接状態であるか否かを判定してもよい。また、ステップＳ１２２において、制御プログラム２０２は、ウェアラブル機器１と通信部４２Ａまたは４２Ｂが非近接状態であるか否かを判定してもよい。
【００７１】
なお、非接触充電が開始されたこと、または近接無線通信が開始されたことをトリガーとして、タッチパッド１４の状態をＯＮ状態またはＯＦＦ状態にしてもよい。
【００７２】
次に、図１２を参照し、ウェアラブル機器１のシステム構成について説明する。  
ウェアラブル機器１は、近接無線通信モジュール４、非接触充電パッド５、バッテリ７０、ＣＰＵ９０、システムコントローラ９１、メモリ９２、時計モジュール９３、位置検出部９４、生体情報取得部９５、無線通信部（ＢＴモジュール）９６、サウンドコントローラ９７、ディスプレイ３、スピーカ９９、ＥＣ１０２、電源回路１０３、等を備える。
【００７３】
ＣＰＵ９０は、ウェアラブル機器１内の各部の動作を制御するプロセッサである。ＣＰＵ９０は、メモリ９２にロードされる、オペレーティングシステム（ＯＳ）１００、及び各種アプリケーションプログラムを実行する。アプリケーションプログラムには、制御プログラム１０１が含まれている。
【００７４】
制御プログラム１０１は、本コンピュータ１０と連携して、各種機能を提供するためのプログラムである。例えば、制御プログラム１０１は、近接無線通信を使用して本コンピュータ１０とウェアラブル機器１との間のデータ同期を行う機能、等を実行することができる。
【００７５】
システムコントローラ９１は、ＣＰＵ９０と各コンポーネントとの間を接続するブリッジデバイスである。システムコントローラ９１は、メモリ９２をアクセス制御するメモリコントローラも内蔵されている。また、システムコントローラ９１は、ウェアラブル機器１のディスプレイ３を制御する表示コントローラを内蔵していてもよい。さらに、システムコントローラ９１は、サウンドコントローラ９７との通信を実行する機能も有している。
【００７６】
サウンドコントローラ９７は音源デバイスであり、再生対象のオーディオデータをスピーカ９９に出力する。無線通信部（ＢＴモジュール）９６は、例えばＢｌｕｅｔｏｏｔｈを使用して無線通信を実行する無線通信デバイスである。
【００７７】
時計モジュール９３は、現在時刻を計時するモジュールである。位置検出部９４は、ウェアラブル機器１の現在位置、例えばウェアラブル機器１の現在位置を示す経度および緯度、を取得する。位置検出部９４は、例えば、全地球測位システム（ＧＰＳ）に対応する。
【００７８】
生体情報取得部９５は、ユーザの生体情報を検知する１以上のセンサを含み、１以上のセンサを使用して、ユーザの生体情報を取得することができる。
【００７９】
近接無線通信モジュール４は、本コンピュータ１０との近接無線通信を実行する。近接無線通信は、例えば、ＮＦＣ（Near Field Communication）である。
【００８０】
非接触充電部５は、近接される本コンピュータ１０から無線給電される電力を用いてバッテリ７０を充電する。
【００８１】
ＥＣ１０２は、ウェアラブル機器１の電力管理を実行するための電力管理コントローラである。ＥＣ１０２及び電源回路１０３は、ウェアラブル機器１がパワーオフされている期間中も、バッテリ７０からの電力によって動作する。
【００８２】
電源回路１０３は、バッテリ７０からの電力、または本コンピュータ１０から無線給電される電力を用いて、各コンポーネントへ供給すべき電力（動作電源）を生成することができる。
【００８３】
次に、図１３を参照し、本実施形態における本コンピュータ１０の他の使用例について説明する。なお、図１を参照して説明した本コンピュータ１０と同様の機能及び構成については説明を省略する。
【００８４】
図１３に示すように、リストレスト８０は、ＵＳＢケーブル８２を介して、本コンピュータ１０のＵＳＢポート２２と接続されている。リストレスト８０は、非接触充電パッド８１Ａ、８１Ｂ、及び近接無線通信のための通信部８３Ａ、８３Ｂを備える。なお、非接触充電パッド８１Ａ、８１Ｂ、及び近接無線通信のための通信部８３Ａ、８３Ｂは、リストレスト８０内に内蔵されていてもよいし、リストレスト８０の上面部に配置されていてもよい。
【００８５】
リストレスト８０は、ユーザが本コンピュータ１０を使用する際、ユーザの腕等に装着されたウェアラブル機器１が近接する位置に配置される。例えば、リストレスト８０は、ユーザがキーボード１３に対して入力操作を行う際、ユーザの腕等に装着されたウェアラブル機器１と近接するような位置に、配置される。また、ユーザは、本コンピュータ１０の位置に対するリストレスト８０の位置を自由に変更することができる。
【００８６】
非接触充電パッド８１Ａ、８１Ｂは、ＵＳＢケーブル８２を介して本コンピュータ１０から供給される電力を利用して、近接されるウェアラブル機器１に対して無線給電する。
【００８７】
また、図１３に示すように、リストレスト８０を使用する場合、図６に示すような非接触充電パッド４１Ａ、４１Ｂ、及び、近接無線通信モジュール４２は、ＵＳＢポート２２に接続されている。
【００８８】
図１３に示すように、リストレスト８０が非接触充電パッド８１Ａ、８１Ｂ、及び近接無線通信のための通信部８３Ａ、８３Ｂを備えることによって、例えば、パームレスト４０を備えていないデスクトップ型コンピュータ等においても、上述した非接触充電機能、近接無線通信機能、等を実行することができる。
【００８９】
なお、本コンピュータ１０は、上述したように、ディスプレイユニット１２が、コンピュータ本体１１の上面が露出される開放位置とコンピュータ本体１１の上面がディスプレイユニット１２で覆われる閉塞位置との間を回動自在にコンピュータ本体１１に取り付けられているような、折りたたむことが可能なクラムシェル型のコンピュータを想定しているが、例えば、ディスプレイユニット１２をスライドさせ、ディスプレイユニット１２がコンピュータ本体１１のカバーになるようなスライド型のコンピュータでもよい。
【００９０】
なお、通信部４２Ａ、４２Ｂを、タッチパッド１４の両側に配置するのではなく、例えばパームレスト４０の内部であり且つ図１に示すようにパームレスト領域の中央部に配置されたタッチパッド１４の下部に配置してもよい。この場合、通信部４２Ａ、４２Ｂは、例えば、ウェアラブル機器１がパームレスト４０に近接した後、ユーザがキーボード１３に対して入力操作を行った場合、近接無線通信を開始するようにする。なお、この場合、近接無線通信モジュール４２として、例えばＢＴモジュール１２０を使用することもできる。
【００９１】
以上説明したように、本実施形態において、キーボード１３が配置される上面を備えるコンピュータ本体１１に取り付けられるディスプレイ３１を備える本コンピュータ１０は、キーボード１３が配置される上面上のパームレスト領域に配置されている非接触充電パッド４１Ａ、４１Ｂ、及び近接無線通信パッド４２Ａ、４２Ｂを使用して、パームレスト領域に近接されるウェアラブル機器１（外部機器）を非接触充電及び近接無線通信を行うことができる。非接触充電パッド４１Ａ、４１Ｂ、及び近接無線通信パッド４２Ａ、４２Ｂが、ユーザが本コンピュータ１０を使用する際、例えばユーザがキーボード１３を使用して入力操作を行う際、ユーザが通常手を置く位置、換言すると、ユーザに装着されたウェアラブル機器１が接触する位置、に配置されている。そのため、ユーザは、意識せずにウェアラブル機器１の充電と同期処理等の通信を自動的に行うことできる。したがって、充電及び通信を行うために必要なユーザの手間を少なくすることができる。また、ユーザは、ウェアラブル機器１をユーザの腕から取り外すことなく、充電及び通信を行うことができる。また、ウェアラブル機器１を認証機器として使用することもできる。また、非接触充電パッド４１Ａ、４１Ｂ、及び近接無線通信パッド４２Ａ、４２Ｂが内蔵されていないコンピュータであっても、非接触充電パッド４１Ａ、４１Ｂ、及び近接無線通信パッド４２Ａ、４２Ｂを備えるリストレスト８０を利用することによって、ユーザは、意識せずにウェアラブル機器１の充電とデータの同期処理を自動的に行うことできる。
【００９２】
また、本実施形態で説明した制御プログラム２０２の機能は、専用ＬＳＩ、ＤＳＰ、またはマイクロコンピュータのようなハードウェアによって実現してもよい。  
なお、本実施形態の制御プログラム２０２等による制御処理の手順は全てソフトウェアによって実行することができるので、この制御処理の手順を実行するコンピュータプログラムを格納したコンピュータ読み取り可能な記憶媒体を通じてこのプログラムを通常のコンピュータにインストールして実行するだけで、本実施形態と同様の効果を容易に実現することができる。
【００９３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９４】
１…ウェアラブル機器（外部機器）、４…近接無線通信モジュール、５…非接触充電パッド、１０…コンピュータ（電子機器）、１４…タッチパッド、４０…パームレスト、４１…非接触充電パッド、４２…近接無線通信モジュール、７７…制御部、２０２…制御プログラム。
【図１】
2014230383.tif 000003
【図２】
2014230383.tif 000004
【図３】
2014230383.tif 000005
【図４】
2014230383.tif 000006
【図５】
2014230383.tif 000007
【図６】
2014230383.tif 000008
【図７】
2014230383.tif 000009
【図８】
2014230383.tif 000010
【図９】
2014230383.tif 000011
【図１０】
2014230383.tif 000012
【図１１】
2014230383.tif 000013
【図１２】
2014230383.tif 000014
【図１３】
2014230383.tif 000015